(57)【要約】【課題】操作性を向上させ、磨き難くなっている歯の部位や、歯と歯茎の境目部を刷掃する際の汚れ落ち効果を高めることができる歯ブラシを提供する。【解決手段】植毛台１１は、先端側幅狭植毛領域１１ａ及び後端側幅狭植毛領域１１ｂを備えると共に、これらの間の中間部分に、両側の側辺部が凹状接続部１１ｄを介して先端側幅狭植毛領域１１ａ及び後端側幅狭植毛領域１１ｂの側辺部と各々連続する、中間部幅広植毛領域１１ｃを備える。３列の主毛束列１７ａ，１７ｂが、先端側幅狭植毛領域１１ａから後端側幅狭植毛領域１１ｂに至るまで、中間部幅広植毛領域１１ｃを縦断するように植設されている。中間部幅広植毛領域１１ｃには、主毛束列１７ａ，１７ｂの両側に各々千鳥状に配置されて、副毛束列１７ｃが、主毛束列１７ａ，１７ｂの外側に並べて各々植設されている。【選択図】図１
2020065613.tif 000002
【特許請求の範囲】
【請求項１】
複数本のブリッスルを束ねてなる毛束が、植毛台に形成された複数の植毛穴に各々植設されている歯ブラシであって、
前記植毛台は、狭い幅の植毛領域を、長手方向の先端側及び長手方向の後端側に、先端側幅狭植毛領域及び後端側幅狭植毛領域として備えていると共に、前記先端側幅狭植毛領域と前記後端側幅狭植毛領域との間の中間部分に、両側の側辺部が凹状接続部を介して前記先端側幅狭植毛領域及び前記後端側幅狭植毛領域の両側の側辺部と各々連続する、広い幅の植毛領域を、中間部幅広植毛領域として備えており、
複数列の主毛束列が、前記先端側幅狭植毛領域から前記後端側幅狭植毛領域に至るまで、前記中間部幅広植毛領域を縦断するように植設されており、前記中間部幅広植毛領域には、前記主毛束列の両側に各々千鳥状に配置されて、少なくとも１列の副毛束列が、前記主毛束列の外側に並べて各々植設されている歯ブラシ。
【請求項２】
複数列の前記主毛束列は、中央の列の前記主毛束列の先端部及び後端部の毛束が、両側の列の前記主毛束列の先端部及び後端部の毛束よりも、先端側又は後端側に突出して配置されている請求項１記載の歯ブラシ。
【請求項３】
前記主毛束列は、前記中間部幅広植毛領域を縦断するようにして３列に植設されており、前記中間部幅広植毛領域には、少なくとも５列の毛束列が植設されている請求項１又は２記載の歯ブラシ。
【請求項４】
複数列の前記主毛束列を構成する複数の毛束は、千鳥状に配置されて植設されている請求項１〜３のいずれか１項記載の歯ブラシ。
【請求項５】
前記副毛束列を構成する複数の毛束は、前記先端側幅狭植毛領域の側辺部と前記後端側幅狭植毛領域の側辺部とを直線状に繋ぐ仮想の線分よりも、外側にはみ出した状態で植設されている請求項１〜５のいずれか１項記載の歯ブラシ。
【請求項６】
前記３列の主毛束列を構成する複数の毛束は、前記先端側幅狭植毛領域及び前記後端側幅狭植毛領域を含む各々の端部領域において、両側の２列の主毛束列の各々の端部２箇所の毛束と、中央の１列の主毛束列の端部３箇所の毛束との７箇所の毛束によって、略正六角形状に配置された六角毛束群を形成している請求項３〜６のいずれか１項記載の歯ブラシ。
【発明の詳細な説明】
【技術分野】
【０００１】
本発明は、歯ブラシに関し、特に、複数本のブリッスルを束ねてなる毛束が、植毛台に形成された複数の植毛穴に各々植設されている歯ブラシに関する。
【背景技術】
【０００２】
歯ブラシは、複数本のブリッスルを束ねてなるタフト（毛束）を、例えば植毛台の植毛面に形成された複数の植毛穴に、平線を打ち込む方法や熱で融着させる方法等によって植設固定することにより形成される。また、歯ブラシは、前歯、奥歯等の歯の種類や、歯間部、歯面部、歯頸部、歯裏部等の歯の部位に応じた適切な刷掃を効率良く行って、歯垢等を効果的に除去できるように、また刷掃時に良好な感触が得られるように、毛束の配置やブリッスルの毛先の形状等に様々な工夫がなされている。
【０００３】
また、近年、上下の前歯裏側部や奥歯頬側部等の磨き難い歯の部位や、歯並びが悪くて磨き難くなっている部位や、歯と歯茎の境目部などの歯頸部に対しても、これらの部位にブラシ面を密着させた状態で、丁寧にしっかりと磨きたいといったニーズが増えており、これらの部位を刷掃する際の操作性を向上させることのできる歯ブラシの開発が望まれている。
【０００４】
一方、従来の歯ブラシとして、口腔内の入り組んだ場所にも容易に植毛部を位置づけることを可能にして、操作性を向上させたスリムタイプの歯ブラシ（例えば、特許文献１参照）や、プラークの溜まりやすい凹凸面となっている歯頸部を効率良く刷掃できるようにして、操作性を向上させた４列タイプの歯ブラシ（例えば、特許文献２参照）が開発されている。
【先行技術文献】
【特許文献】
【０００５】
【特許文献１】実用新案登録第２５４８３９６号公報
【特許文献２】特開平１１−２９０１２８号公報
【発明の概要】
【発明が解決しようとする課題】
【０００６】
しかしながら、口腔内での操作性を向上させた従来のスリムタイプの歯ブラシでは、上下の前歯裏側部や奥歯頬側部等の磨き難くなっている歯の部位や、歯並び悪くて磨き難くなっている歯の部位や、歯と歯茎の境目部などの歯頸部を刷掃する際に、歯ブラシのヘッド部である植毛台の周縁部が、上唇の部分や、下顎の頬側の部分にあたり易くなったり、或いは、上顎の前歯や、歯並びが悪くて磨き難くなっている部位の周囲の歯にあたり易くなって、磨き難い部位に歯ブラシのブラシ面をスムーズに密着させることが難くなることから、歯ブラシの植毛台の周縁部が上唇の部分や下顎の頬側の部分にあたり易くなったり、周囲の歯にあたり易くなるのを抑制して、操作性をより一層向上させることのできる歯ブラシの開発が望まれている。
【０００７】
本発明は、植毛台の周縁部が上唇の部分や下顎の頬側の部分にあたり易くなったり、周囲の歯にあたり易くなるのを抑制して、操作性をより一層向上させることができると共に、上下の前歯裏側部や奥歯頬側部等の磨き難くなっている歯の部位や、歯並びが悪くて磨き難くなっている歯の部位や、歯と歯茎の境目部などの歯頸部を刷掃する際の、汚れ落ち効果を高めることができる歯ブラシに関する。
【課題を解決するための手段】
【０００８】
本発明は、複数本のブリッスルを束ねてなる毛束が、植毛台に形成された複数の植毛穴に各々植設されている歯ブラシであって、前記植毛台は、狭い幅の植毛領域を、長手方向の先端側及び長手方向の後端側に、先端側幅狭植毛領域及び後端側幅狭植毛領域として備えていると共に、前記先端側幅狭植毛領域と前記後端側幅狭植毛領域との間の中間部分に、両側の側辺部が凹状接続部を介して前記先端側幅狭植毛領域及び前記後端側幅狭植毛領域の両側の側辺部と各々連続する、広い幅の植毛領域を、中間部幅広植毛領域として備えている。複数列の主毛束列が、前記先端側幅狭植毛領域から前記後端側幅狭植毛領域に至るまで、前記中間部幅広植毛領域を縦断するように植設されており、前記中間部幅広植毛領域には、前記主毛束列の両側に各々千鳥状に配置されて、少なくとも１列の副毛束列が、前記主毛束列の外側に並べて各々植設されている。
【発明の効果】
【０００９】
本発明の歯ブラシによれば、植毛台の周縁部が上唇の部分や下顎の頬側の部分にあたり易くなったり、周囲の歯にあたり易くなるのを回避して、操作性をより一層向上させることができると共に、上下の前歯裏側部や奥歯頬側部等の磨き難くなっている歯の部位や、歯並びが悪くて磨き難くなっている歯の部位や、歯と歯茎の境目部などの歯頸部を刷掃する際の、汚れ落ち効果を高めることができる。
【図面の簡単な説明】
【００１０】
【図１】本発明の好ましい一実施形態に係る歯ブラシの側面図である。
【図２】本発明の好ましい一実施形態に係る歯ブラシの要部の構成を説明する、植毛台の部分の拡大略示平面図である。
【図３】本発明の歯ブラシの好ましい他の形態を例示する要部略示側面図である。
【図４】（ａ）、（ｂ）は、本発明の歯ブラシの好ましい他の形態を例示する要部略示平面図である。
【図５】本発明の歯ブラシの好ましい他の形態を例示する要部略示側面図である。
【図６】本発明の歯ブラシの好ましい他の形態を例示する要部略示側面図である。
【図７】（ａ）〜（ｃ）は、本発明の好ましい一実施形態に係る歯ブラシによる操作性を説明する斜視図である。
【図８】辺縁歯列モデルを説明する、（ａ）は斜視図、（ｂ）は略示上面図である。
【図９】（ａ）〜（ｃ）は、実施例１、比較例１、比較例２の歯ブラシ、及びこれらの歯ブラシによる歯垢除去性のモデル評価の評価結果の説明図である。
【発明を実施するための形態】
【００１１】
本発明の好ましい一実施形態に係る歯ブラシ１０は、図１及び図２に示すように、把持部１３ａと植毛台１１とこれらを連結する首部１３ｂとからなる歯ブラシ本体１３の植毛台１１に形成された複数の植毛穴１４ａ，１４ｂ，１４ｃ（図２参照）に、複数本のブリッスル１６ａ，１６ｂ，１６ｃを束ねてなる毛束（タフト）１５ａ，１５ｂ，１５ｃ（図１参照）を、各々植設（植毛）することによって構成される。本実施形態の歯ブラシ１０は、植毛台１１の形状や植毛台１１に植設される毛束（タフト）１５ａ，１５ｂ，１５ｃの配置を工夫することによって、植毛台１１の周縁部が上唇の部分や下顎の頬側の部分にあたり易くなったり、周囲の歯にあたり易くなるのを回避して、操作性を向上させると共に、上下の前歯裏側部や奥歯頬側部等の磨き難くなっている歯の部位や、歯並びが悪くて磨き難くなっている歯の部位や、歯と歯茎の境目部などの歯頸部を刷掃する際の、汚れ落ち効果を高める機能を備えている。
【００１２】
そして、本実施形態の歯ブラシ１０は、図１及び図２に示すように、複数本のブリッスル１６ａ，１６ｂ，１６ｃを束ねてなる毛束１５ａ，１５ｂ，１５ｃが、植毛台１１に形成された複数の植毛穴１４ａ，１４ｂ，１４ｃに各々植設されている歯ブラシであって、植毛台１１は、狭い幅の植毛領域１１ａ，１１ｂを、植毛台１１の長手方向Ｘの先端側及び長手方向Ｘの後端側に、先端側幅狭植毛領域１１ａ及び後端側幅狭植毛領域１１ｂとして備えていると共に、先端側幅狭植毛領域１１ａと後端側幅狭植毛領域１１ｂとの間の中間部分に、両側の側辺部が凹状接続部１１ｄを介して先端側幅狭植毛領域１１ａ及び後端側幅狭植毛領域１１ｂの両側の側辺部と各々連続する、広い幅の植毛領域を、中間部幅広植毛領域１１ｃとして備えている。複数列として、好ましくは３列の主毛束列１７ａ，１７ｂが、先端側幅狭植毛領域１１ａから後端側幅狭植毛領域１１ｂに至るまで、中間部幅広植毛領域１１ｃを縦断するように植設されており、中間部幅広植毛領域１１ｃには、主毛束列１７ａ，１７ｂの両側に各々千鳥状に配置されて、少なくとも１列として、好ましくは１列の副毛束列１７ｃが、主毛束列１７ａ，１７ｂの外側に並べて各々植設されている。すなわち、本実施形態では、副毛束列１７ｃを構成する複数の毛束１５ｃは、両側の列の主毛束列１７ｂを構成する複数の毛束１５ｂに対して、千鳥状に配置されて植設されている。
【００１３】
また、本実施形態では、好ましくは３列の主毛束列１７ａ，１７ｂは、中央の列の主毛束列１７ａの先端部及び後端部の毛束１５ａが、両側の列の主毛束列１７ｂの先端部及び後端部の毛束１５ｂよりも、先端側又は後端側に突出して配置されている。
【００１４】
さらに、本実施形態では、３列の主毛束列１７ａ，１７ｂを構成する複数の毛束１５ａ，１５ｂは、千鳥状に配置されて植設されている。これによって、３列の主毛束列１７ａ，１７ｂを構成する複数の毛束１５ａ，１５ｂは、先端側幅狭植毛領域１１ａ及び後端側幅狭植毛領域１１ｂを含む各々の端部領域において、両側の２列の主毛束列１７ｂの各々の端部２箇所の毛束１５ｂと、中央の１列の主毛束列１７ａの端部３箇所の毛束１５ａとの７箇所の毛束１５ａ，１５ｂによって、略正六角形状に配置された六角毛束群１８を形成している。
【００１５】
本実施形態では、歯ブラシ本体１３は、一般的に使用されている合成樹脂を、特に制限無く用いて形成することができる。例えば、ポリプロピレン、ポリアセタール樹脂、ポリスチレン樹脂、ポリエチレンテレフタレート樹脂、アクリロニトリルブタジエンスチレン樹脂、セルロースプロピオネート樹脂、ポリアリレート樹脂、ポリカーボネート樹脂、アクリロニトリルスチレン樹脂、ポリエステル、ポリトリメチレンテレフタレート、ポリシクロヘキサンジメチレンテレフタレートから選ばれる一種又は二種以上の樹脂を用いることが好ましい。
【００１６】
本実施形態では  歯ブラシ本体１３の先端部分を構成する植毛台１１は、首部１３ｂとの接続部分から、例えば１８〜３０ｍｍ程度の長さを有する部分となっており、平坦な植毛面１２に開口して、毛束１５ａ，１５ｂ，１５ｃが植設される複数の植毛穴１４ａ，１４ｂ，１４ｃが形成されている。植毛台１１は、長手方向Ｘの先端側及び後端側に、植毛台１１の短手方向Ｙの幅が狭くなっている先端側幅狭植毛領域１１ａ及び後端側幅狭植毛領域１１ｂを備えており、またこれらの先端側幅狭植毛領域１１ａ及び後端側幅狭植毛領域１１ｂによって挟まれる中間部分に、植毛台１１の短手方向Ｙの幅が先端側幅狭植毛領域１１ａ及び後端側幅狭植毛領域１１ｂの幅よりも広くなっている、中間部幅広植毛領域１１ｃを備えている。中間部幅広植毛領域１１ｃは、両側の側辺部が、植毛台１１の中心側に凹状に窪んだ凹状接続部１１ｄを介して、先端側幅狭植毛領域１１ａ及び後端側幅狭植毛領域１１ｂの両側の側辺部と各々連続している。これによって植毛台１１の植毛面１２は、中間部幅広植毛領域１１ｃの両側部分が、先端側幅狭植毛領域１１ａ及び後端側幅狭植毛領域１１ｂの側辺部よりも外側に張り出した、全体として縦長の十字状の平面形状を備えている。
【００１７】
中間部幅広植毛領域１１ｃは、後述する例えばφ１．４ｍｍの植毛穴１４ａ，１４ｂ，１４ｃを、好ましくは５列に形成できる横幅として、例えば８〜１１ｍｍの横幅を有すると共に、長手方向Ｘに２〜８箇所の植毛穴１４ａ，１４ｂ，１４ｃを形成できる長さとして、例えば３．５〜１６．５ｍｍの長手方向Ｘの長さを有する領域となっている。先端側幅狭植毛領域１１ａ及び後端側幅狭植毛領域１１ｂは、後述する例えばφ１．４ｍｍの植毛穴１４ａ，１４ｂを、好ましくは３列に形成できる横幅として、例えば４．６〜５．６ｍｍの横幅を有すると共に、長手方向Ｘに２〜４箇所の植毛穴１４ａ，１４ｂを形成できる長さとして、例えば５〜６．２ｍｍの長手方向Ｘの長さを有する領域となっている。これらによって、中間部幅広植毛領域１１ｃは、先端側幅狭植毛領域１１ａ及び後端側幅狭植毛領域１１ｂの両側の側辺部から、例えば１〜３ｍｍの幅で外側に各々張り出した状態で設けられることになる。
【００１８】
そして、本実施形態では、好ましくは３列の主毛束列１７ａ，１７ｂを構成する毛束１５ａ，１５ｂが植設される３列の主毛束植毛穴１４ａ、１４ｂが、先端側幅狭植毛領域１１ａから後端側幅狭植毛領域１１ｂに至るまで、中間部幅広植毛領域１１ｃを縦断するように配置されて、植毛台１１の植毛面１２に開口形成されている。すなわち、中央の列の中央主毛束植毛穴１４ａは、植毛台１１の植毛面１２の中央部を長手方向Ｘに縦断するように例えば２．１ｍｍの中心間ピッチで配置されて、１０箇所に開口形成されており、中央の列を挟んだ両側の列の側部主毛束植毛穴１４ｂは、好ましくは中央主毛束植毛穴１４ａと千鳥に配置されると共に、植毛台１１の植毛面１２の長手方向Ｘに縦断するように例えば２．１ｍｍの中心間ピッチで配置されて、各々９箇所に開口形成されている。これらによって、３列の主毛束植毛穴１４ａ、１４ｂは、先端側幅狭植毛領域１１ａ及び後端側幅狭植毛領域１１ｂを含む先端側及び後端側の各々の端部領域において、両側の２列の各々の端部２箇所の側部主毛束植毛穴１４ｂと、中央の列の端部３箇所の中央主毛束植毛穴１４ａとによって、略正六角形状に配置された六角植毛穴群１８’を形成している。
【００１９】
また、本実施形態では、主毛束列１７ａ，１７ｂを挟んだ両側に各々千鳥状に配置される、好ましくは各１列の副毛束列１７ｃを構成する毛束１５ｃが植設される副毛束植毛穴１４ｃが、中間部幅広植毛領域１１ｃの両側の側縁部分に、各々１列に配置されて植毛台１１の植毛面１２に開口形成されている。すなわち、各１列の副毛束植毛穴１４ｃは、両側の側縁部分に沿って、例えば２．１ｍｍの中心間ピッチで配置されて、各々４箇所に開口形成されている。副毛束植毛穴１４ｃは、好ましくは両側の列の側部主毛束植毛穴１４ｂに対して、千鳥状に配置されて形成されており、また好ましくは、先端側幅狭植毛領域１１ａの側辺部と後端側幅狭植毛領域１１ｂの側辺部とを直線状に繋ぐ仮想の線分Ｌよりも、外側にはみ出した状態で形成されている。
【００２０】
本実施形態では、これらの植毛穴１４ａ，１４ｂ，１４ｃには、例えばφ１．４ｍｍの各々の植毛穴１４ａ，１４ｂ，１４ｃの横断面積に応じた本数のブリッスル１６ａ，１６ｂ，１６ｃを束ねてなる毛束１５ａ，１５ｂ，１５ｃが、各々挿入固定されて植設されている。各々の毛束１５ａ，１５ｂ，１５ｃを構成するブリッスル１６ａ，１６ｂ，１６ｃは、好ましくは合成樹脂からなる。ブリッスル１６ａ，１６ｂ，１６ｃを形成する合成樹脂としては、ブリッスルに用いられている公知の各種のものを、特に制限なく用いることができ、例えば、ナイロン（登録商標）、ナイロン６−１２等のポリアミド、ポリブチレンテレフタレート等のポリエステル、ポリオレフィン等が挙げられる。
【００２１】
各々の植毛穴１４ａ，１４ｂ，１４ｃに毛束１５ａ，１５ｂ，１５ｃを植設する方法としては、公知の各種の植毛方法を採用することができる。例えば、（１）毛束を平線で２つ折りにして打ち込む方法や、（２）毛束の片端部を加熱して溶融塊を形成した後、その溶融塊を配置した金型内に溶融樹脂を注入して植毛台を射出形成する方法、（３）植毛孔（貫通孔）を有する植毛基部の該植毛孔に毛束を挿入する挿入工程、該植毛孔から突出する毛束の片端部を加熱して溶融塊を形成する熱加工工程、及び該溶融塊を被覆する被覆工程を経て、毛束が植設された状態の植毛台や歯ブラシを得る方法等を用いることができる。
【００２２】
毛束１５ａ，１５ｂ，１５ｃの植毛穴１４ａ，１４ｂ，１４ｃへの充填率（ブリッスルの横断面積の合計／植毛穴の横断面積）は、６０〜９０％となっていることが好ましく、６５〜９０％となっていることがさらに好ましい。
【００２３】
そして、本実施形態では、植毛台１１の植毛面１２に形成された中央の列の１０箇所の中央主毛束植毛穴１４ａには、例えば毛径が０．１８ｍｍの太さの先端がラウンド形状となった３６本のブリッスル１６ａを束ねて形成される毛束１５ａが、例えば植毛面１２ａからの毛丈が１０．０ｍｍとなるように各々植設されており、これによって中央の列の主毛束列１７ａを形成している。植毛台１１の植毛面１２に形成された両側の列の各々９カ所の側部主毛束植毛穴１４ｂには、中央の列の主毛束列１７ａの毛束１５ａと同様に、例えば毛径が０．１８ｍｍの太さの先端がラウンド形状となった３６本のブリッスル１６ａを束ねて形成される毛束１５ｂが、例えば植毛面１２ａからの毛丈が１０．０ｍｍとなるように各々植設されており、これによって中央の列の主毛束列１７ａを挟んだ両側の列の主毛束列１７ｂを形成している。
【００２４】
またこれによって、植毛台１１の植毛面１２の先端側及び後端側の各々の端部領域において、略正六角形状に配置された７箇所の主毛束植毛穴１４ａ，１４ｂによる、六角植毛穴群１８’に植設された主毛束列１７ａ，１７ｂの毛束１５ａ，１５ｂによって、略正六角形状に配置された六角毛束群１８が形成されることになる。
【００２５】
また、本実施形態では、植毛台１１の中間部幅広植毛領域１１ｃの植毛面１２の両側の側縁部分に、各々４箇所に形成された副毛束植毛穴１４ｃには、主毛束列１７ａ，１７ｂの毛束１５ａ，１５ｂと同様に、例えば毛径が０．１８ｍｍの太さの先端がラウンド形状となった３６本のブリッスル１６ｃを束ねて形成される毛束１５ｃが、例えば植毛面１２からの毛丈が１０．０ｍｍとなるように各々植設されており、これによって主毛束列１７ａ，１７ｂを挟んだ両側の列の副毛束列１７ｃを形成している。副毛束植毛穴１４ｃは、好ましくは、先端側幅狭植毛領域１１ａの側辺部と後端側幅狭植毛領域１１ｂの側辺部とを直線状に繋ぐ仮想の線分Ｌよりも、外側にはみ出した状態で形成されていることから、これらの副毛束植毛穴１４ｃに植設された、副毛束列１７ｃを構成する複数の毛束１５ｃもまた、先端側幅狭植毛領域１１ａの側辺部と後端側幅狭植毛領域１１ｂの側辺部とを直線状に繋ぐ仮想の線分Ｌよりも、外側にはみ出した状態で植設されることになる。
【００２６】
本実施形態の歯ブラシ１０は、これらの毛束１５ａ，１５ｂ，１５ｃのいずれもが、平坦な植毛面１２からの毛丈が１０．０ｍｍとなるように植設されていることにより、平坦な平面状の先端ブラシ面を備えることになる。
【００２７】
そして、上述の構成を備える本実施形態の歯ブラシ１０によれば、植毛台１１の中間部幅広植毛領域１１ｃは、両側の側辺部が、植毛台１１の中心側に凹状に窪んだ凹状接続部１１ｄを介して、先端側幅狭植毛領域１１ａ及び後端側幅狭植毛領域１１ｂの両側の側辺部と各々連続しており、これによって植毛台１１の植毛面１２は、中間部幅広植毛領域１１ｃの両側部分が、先端側幅狭植毛領域１１ａ及び後端側幅狭植毛領域１１ｂの側辺部よりも外側に張り出した、全体として４箇所の角部分に凹状接続部１１ｄを備える、縦長の十字状の平面形状を有している。また、主毛束列１７ａ，１７ｂ及び副毛束列１７ｃの毛束１５ａ，１５ｂ，１５ｃによる先端ブラシ面もまた、中間部幅広植毛領域１１ｃにおいて主毛束列１７ａ，１７ｂの両側に各々千鳥状に配置されて、好ましくは１列の副毛束列１７ｃが、主毛束列１７ａ，１７ｂの外側に並べて各々植設されていることによって、植毛台１１の植毛面１２の十字状の平面形状にならった、全体として縦長の十字状の平面形状を備えている。
【００２８】
これらによって、例えば下顎の頬側部における歯と歯茎の境目部を刷掃する際に、縦長の十字状の植毛台１１の後部角部分の凹状に窪んだ凹状接続部１１ｄによって、植毛台１１の後部の周縁部が上唇部に当たり易くなるのを抑制しながら、一方の側の副毛束列１７ｃ及び主毛束列１７ａ，１７ｂを構成する毛束１５ａ，１５ｂ，１５ｃによって、効率良く下顎の頬側部における歯と歯茎の境目部を刷掃してゆくことが可能になる。また、例えば下顎の前歯の裏側部を刷掃する際に、縦長の十字状の植毛台１１の後部角部分の凹状に窪んだ凹状接続部１１ｄによって、植毛台１１の後部の周縁部が上顎部の前歯に当たり易くなるのを抑制しながら、主として先端側幅狭植毛領域１１ａに植設された、主毛束列１７ａ，１７ｂの好ましくは六角毛束群１８の毛束１５ａ，１５ｂによるかかと磨きによって、効率良く下顎の前歯の裏側部を刷掃してゆくことが可能になる（図７（ａ）参照）。
【００２９】
また、例えば下顎の奥歯の頬側部を刷掃する際に、縦長の十字状の植毛台１１の凹状に窪んだ凹状接続部１１ｄによって、植毛台１１の周縁部が頬の内側に当たり易くなるのを抑制しながら、一方の側の副毛束列１７ｃ及び主毛束列１７ａ，１７ｂを構成する毛束１５ａ，１５ｂ，１５ｃによって、効率良く下顎の奥歯の表側を刷掃してゆくことが可能になる。
【００３０】
さらに、例えば歯並びの悪い部位として、一段舌側にずれた前歯の表側を縦磨きによって刷掃する際に、縦長の十字状の植毛台１１の先端側角部分の凹状に窪んだ凹状接続部１１ｄによって、植毛台１１の先端部の周縁部が上顎の前歯に当たり易くなるのを抑制しながら、主として先端側幅狭植毛領域１１ａに植設された、主毛束列１７ａ，１７ｂの好ましくは六角毛束群１８の毛束１５ａ，１５ｂによる縦磨きによって、効率良く一段舌側にずれた前歯の表側を刷掃してゆくことが可能になる（図７（ｂ）参照）。また、例えば歯並びの悪い部位として、下顎の一段唇側にずれた前歯の裏側を刷掃する際に、縦長の十字状の植毛台１１の後端側角部分の凹状に窪んだ凹状接続部１１ｄによって、植毛台１１の後部の周縁部が両側の前歯や上顎の前歯に当たり易くなるのを抑制しながら、主として後端側幅狭植毛領域１１ｂに植設された、主毛束列１７ａ，１７ｂの好ましくは六角毛束群１８の毛束１５ａ，１５ｂによるかかと磨きによって、効率良く下顎の一段唇側にずれた前歯の裏側を刷掃してゆくことが可能になる（図７（ｃ）参照）。
【００３１】
したがって、本実施形態の歯ブラシ１０によれば、植毛台１１の周縁部が上唇の部分や下顎の頬側の部分にあたり易くなったり、周囲の歯にあたり易くなるのを回避して、操作性をより一層向上させることができると共に、磨き難い部位に歯ブラシのブラシ面をスムーズに密着させて、上下の前歯裏側部や奥歯頬側部等の磨き難くなっている歯の部位や、歯並びが悪くて磨き難くなっている歯の部位や、歯と歯茎の境目部などの歯頸部を刷掃する際の、汚れ落ち効果を高めることが可能になる。
【００３２】
なお、本発明は上記実施形態に限定されることなく種々の変更が可能である。例えば、複数の毛束による先端ブラシ面は、平坦な植毛面からの毛丈を揃えることで、平坦な平面状の先端ブラシ面とする必要は必ずしも無く、例えば図３に示すように、副毛束列の毛束を主毛束列の毛束よりも毛丈が低くなるように植設して、植毛台の長手方向から見た際に、中央部分が高くなったドーム形状や山型形状の先端ブラシ面とすることもできる。また、各々の副毛束列は、４箇所の毛束によって形成される必要は必ずしも無く、図４（ａ）、（ｂ）に示すように、３箇所又は２箇所の毛束によって、副毛束列を形成しても良い。主毛束列の両側に、複数列の副毛束列を各々設けることもできる。毛束を形成するブリッスルの先端形状は、ラウンド形状となっている必要は必ずしも無く、先細りとなったテーパー形状等の、その他の種々の先端形状を備えていても良い。
【００３３】
また、複数の毛束による先端ブラシ面は、植毛台の短手方向と対向する側面側から見た際に、図５に示すように、先端部分に配置される小山部と、谷底部を挟んで小山部の後方に連続する、小山部よりも植毛台の長手方向の長さの長い大山部とを含む形状としたり、図６に示すように、下に凸の弧状に湾曲するμ字形状としたりすることもできる。
【実施例】
【００３４】
以下、実施例及び比較例により、本発明の歯ブラシをさらに詳細に説明するが、本発明は、以下の実施例及び比較例の記載によって何ら制限されるものではない。
【００３５】
〔実施例１の歯ブラシ、比較例１、２の歯ブラシ〕
図９（ａ）に示す、上記の実施形態の歯ブラシ１０と同様の構成を備える歯ブラシを、実施例１の歯ブラシとした。植毛穴の穴径はφ１．４とし、植毛台に３６カ所に形成した。毛束を構成するブリッスルの毛径を７ｍｉｌ（０．１８ｍｍ）とし、毛先の形状はラウンド形状として、１０ｍｍの毛丈で各々の毛束を植設した。図９（ｂ）に示す、スリムタイプの植毛台に毛束を３列に植設した歯ブラシを、比較例１の歯ブラシとした。植毛穴の穴径はφ１．６とし、植毛台に２４カ所に形成した。毛束を構成するブリッスルの毛径を８ｍｉｌ（０．２０ｍｍ）とし、毛先の形状はラウンド形状として、１０ｍｍの毛丈で各々の毛束を植設した。図９（ｃ）に示す、長円形状の植毛台に毛束を４列に植設した歯ブラシを、比較例２の歯ブラシとした。植毛穴の穴径はφ１．６とし、植毛台に２８カ所に形成した。毛束を構成するブリッスルの毛径を８ｍｉｌ（０．２０ｍｍ）とし、毛先の形状はラウンド形状として、１０ｍｍの毛丈で各々の毛束を植設した。
【００３６】
〔辺縁歯列モデル〕
図８（ａ）、（ｂ）に示すような、辺縁歯列モデルを作成した。辺縁歯列モデルは、歯茎の形状を模した歯茎部、及び歯茎から突出する歯（大臼歯や小臼歯）を模したステンレスブロックによる複数の歯部を備えており、複数の歯部のうちの一部の歯部（大臼歯）の表面に、刷掃により表面状態が変化するシートとして、ビデオテープ用の磁気テープ（種類：西友プライベートブランドのS‘RIBBONスタンダードタイプ（１２０分、型番３T-120SR））により作成した歯垢モデルが取り付けられている。磁気テープによる歯垢モデルが取り付けられた歯部（大臼歯）は、角部にＲ（曲率半径）が４ｍｍの曲面を備えており、歯茎部から幅１１ｍｍ×８ｍｍ程度の大きさで突出している。
【００３７】
〔ブラッシングによる歯面の歯垢除去性のモデル評価〕
一部の歯部（大臼歯）に磁気テープによる歯垢モデルを取り付けた辺縁歯列モデルを、試験台に装着し、ブラッシングマシーンを用いて、実施例１の歯ブラシ、比較例１、２の各々の歯ブラシによる刷掃を行った。ブラッシングマシーンによる刷掃は、実施例１及び比較例１，２の各々の歯ブラシを、歯茎部と歯部との境目付近に、歯面に対して水平（ヘッド角度は０度）の状態で２００ｇｆの荷重にて押し当て、その状態で、各々の歯ブラシを、植毛台の長手方向Ｘに、ストローク幅（振幅）３０ｍｍ、ストローク速度１００ｒｐｍの条件で６０回往復させた。なお、歯磨剤として市販の花王株式会社製「ガードハロー（登録商標）」を適量使用した。
【００３８】
磁気テープによる歯垢モデルが取り付けられた歯部（大臼歯）モデルの評価領域は、歯間部（ステンレスブロックのＲが形成された領域）を除く、中央付近の平滑面の領域とし、この評価領域において、ビデオテープの磁気テープの磁性層が剥がれてテープのベースが露出した（白くなった）部分を、展開して比較した。評価結果を図９（ａ）〜（ｃ）に示す。
【００３９】
図９（ａ）〜（ｃ）に示すブラッシングによる歯面の歯垢除去性のモデル評価結果によれば、比較例１及び比較例２の歯ブラシを用いた場合は、歯部の平滑面から歯間部に沿う方向に、部分的に磁性層が削り取られていない部分（剥れてない）が広く生じている。これに対して、実施例１の歯ブラシを用いた場合は、歯部の平滑面や歯間部が、比較例１及び２の歯ブラシと比べると、平滑面は、万遍なくテープ表面の磁性層が削られており、Ｒの曲面が形成された歯間部についても、Ｒの曲面に沿って広い範囲で磁性層が白く剥れている。このことから、本発明に係る実施例１の歯ブラシは、比較例１の歯ブラシや比較例２の歯ブラシと比較して、歯間部や歯頸部などの歯面全体を効果的に刷掃することができることが判明する。
【符号の説明】
【００４０】
１０  歯ブラシ
１１  植毛台
１１ａ  先端側幅狭植毛領域
１１ｂ  後端側幅狭植毛領域
１１ｃ  中間部幅広植毛領域
１１ｄ  凹状接続部
１２  植毛面
１３  歯ブラシ本体
１３ａ  把持部
１３ｂ  首部
１４ａ  中央主毛束植毛穴
１４ｂ  側部主毛束植毛穴
１４ｃ  副毛束植毛穴
１５ａ  中央の列の主毛束列の毛束
１５ｂ  両側の列の主毛束列の毛束
１５ｃ  副毛束列の毛束
１６ａ，１６ｂ，１６ｃ  ブリッスル
１７ａ  中央の列の主毛束列
１７ｂ  両側の列の主毛束列
１７ｃ  副毛束列
１８  六角毛束群
１８’六角植毛穴群
Ｌ    仮想の線分
Ｘ    植毛台の長手方向
Ｙ    植毛台の幅方向
【図１】
2020065613.tif 000003
【図２】
2020065613.tif 000004
【図３】
2020065613.tif 000005
【図４】
2020065613.tif 000006
【図５】
2020065613.tif 000007
【図６】
2020065613.tif 000008
【図７】
2020065613.tif 000009
【図８】
2020065613.tif 000010
【図９】
2020065613.tif 000011